(57)【要約】【解決手段】植物植付け具は、植付け室２を有する植付け容器１と、植付け容器１の底壁部５に貫設した給水孔７に挿入される吸水体４と、植付け容器１が底壁部５で載置される水入れ台３とを備えている。植付け容器１の給水孔７に挿入された吸水体４を植付け室２に進入させるとともに水入れ台３内に進入させている。吸水体４は支持管１３に挿入され、支持管１３の両端に設けた開口１３ａ，１３ｂから吸水体４を突出させている。【効果】植物植付け具において水の供給を容易にすることができる。【選択図】図２
0003109148.tif 000002
【実用新案登録請求の範囲】
【請求項１】
植付け室を有する植付け容器に給水孔を設け、その給水孔に挿入される吸水体を備えたことを特徴とする植物植付け具。
【請求項２】
前記植付け容器が載置される水入れ台を備え、この植付け容器の給水孔に挿入された吸水体をこの植付け容器の植付け室に進入させるとともにこの水入れ台内に進入させたことを特徴とする請求項１に記載の植物植付け具。
【請求項３】
前記植付け容器の給水孔は、前記水入れ台に載置されるこの植付け容器の底部でこの植付け容器の植付け室とこの水入れ台内との間で貫設されていることを特徴とする請求項２に記載の植物植付け具。
【請求項４】
前記吸水体は支持管に挿入され、この支持管の両端に設けた開口からこの吸水体を突出させたことを特徴とする請求項１または請求項２または請求項３に記載の植物植付け具。
【請求項５】
前記植付け容器は苔により成形されていることを特徴とする請求項１から請求項４のうちいずれかの請求項に記載の植物植付け具。
【考案の詳細な説明】
【技術分野】
【０００１】
本考案は、植付け室を有する植付け容器を備えた植物植付け具に関するものである。
【背景技術】
【０００２】
昨今、園芸が広く行われているが、観賞用植木鉢では未だジョーロ等により水をかける方法が一般的である。
【考案の開示】
【考案が解決しようとする課題】
【０００３】
しかし、ジョーロ等により水をかける作業は面倒であり、また、不在にするためにその作業を行うことができない場合には植物を枯らしてしまうおそれがある。
この考案は、観賞用植木鉢のような植物植付け具において水の供給を容易にすることを目的としている。
【課題を解決するための手段】
【０００４】
後記実施形態の図面（図１（ａ）及び図２に示す第１実施形態、図１（ｂ）及び図３に示す第２実施形態、図１（ｃ）及び図４に示す第３実施形態、図１（ｄ）及び図５に示す第４実施形態、）の符号を援用して本考案を説明する。
【０００５】
請求項１の考案（第１〜４実施形態に対応）にかかる植物植付け具においては、植付け室（２）を有する植付け容器（１）に給水孔（７）を設け、その給水孔（７）に挿入される吸水体（４）を備えている。この植付け容器（１）は、請求項５の考案のように苔により成形されているほか、プラスチックや陶磁器や石により成形されている。請求項１の考案では、適宜用意した水受け皿から吸水体（４）により吸い上げられた水は、植付け室（２）に入れられた土（１４）の中に染み込む。そのため、ジョーロ等により水をかける作業を必要とせず、水の供給が容易になる。また、不在にするためにその作業を行うことができない場合に植物を枯らしてしまうおそれが少なくなる。
【０００６】
請求項１の考案を前提とする請求項２の考案（第１〜４実施形態に対応）においては、前記植付け容器（１）が載置される水入れ台（３）を備え、この植付け容器（１）の給水孔（７）に挿入された吸水体（４）をこの植付け容器（１）の植付け室（２）に進入させるとともにこの水入れ台（３）内に進入させている。請求項２の考案では、水が吸水体（４）により水入れ台（３）から吸い上げられる。
【０００７】
請求項２の考案を前提とする請求項３の考案（第１〜４実施形態に対応）において、前記植付け容器（１）の給水孔（７）は、前記水入れ台（３）に載置されるこの植付け容器（１）の底部（５）でこの植付け容器（１）の植付け室（２）とこの水入れ台（３）内との間で貫設されている。請求項３の考案では、吸水体（４）が植付け容器（１）の外側から見えにくくなる。
【０００８】
請求項１または請求項２または請求項３の考案を前提とする請求項４の考案（第１〜４実施形態に対応）において、前記吸水体（４）は支持管（１３）に挿入され、この支持管（１３）の両端に設けた開口（１３ａ，１３ｂ）からこの吸水体（４）を突出させている。請求項４の考案では、植付け容器（１）で吸水体（４）を安定性良く支持することができる。
【０００９】
請求項１から請求項４のうちいずれかの請求項の考案を前提とする請求項５の考案（第４実施形態にのみ対応）において、前記植付け容器（１）は苔により成形されている。請求項５の考案では、苔の外観と相俟って植付け容器（１）の付加価値を高めることができる。
【考案の効果】
【００１０】
本考案は、植物植付け具において水の供給を容易にすることができる。
【考案を実施するための最良の形態】
【００１１】
まず、本考案の第１実施形態にかかる植物植付け具について図１（ａ）及び図２を参照して説明する。
この植物植付け具は、植付け室２を有する植付け容器１のほかに、水入れ台３と吸水体４とを備えている。この植付け容器１は、プラスチックにより成形され、底壁部５（底部）と周壁部６とからなる。この底壁部５には給水孔７が植付け室２とその外側との間で貫設されている。この水入れ台３は、陶磁器により成形され、底壁部８と周壁部９と蓋壁部１０とそれらの壁部８，９，１０間の水槽室１１とからなる。この水槽室１１はこの蓋壁部１０に形成された注入口１１ａを有している。この蓋壁部１０には給水孔１２が水槽室１１とその外側との間で貫設されている。前記植付け容器１はこの蓋壁部１０上で着脱可能にまたは着脱不能に載置されている。その載置状態では、底壁部５の給水孔７と蓋壁部１０の給水孔１２とが互いに合致している。
【００１２】
前記吸水体４は、吸水性の高い綿からなり、金属製の支持管１３に挿入されている。この支持管１３の上下両端に設けられた開口１３ａ，１３ｂからこの吸水体４の上端部４ａと下端部４ｂとが突出している。この支持管１３は前記底壁部５の給水孔７と蓋壁部１０の給水孔１２とに挿入され、支持管１３及び吸水体４の上端部４ａが植付け容器１の植付け室２に進入しているとともに、吸水体４の下端部４ｂが前記水入れ台３の水槽室１１に進入している。
【００１３】
この植付け室２には土１４が入れられ、この土１４に植物１５が植付けられている。この土１４の中に支持管１３及び吸水体４の上端部４ａが埋設される。前記水槽室１１内に入れられた水は、この吸水体４の下端部４ｂから吸い上げられてこの吸水体４の上端部４ａに至り、この上端部４ａから土１４の中に染み込む。水槽室１１内の水が減った場合にはその水を注入口１１ａから補充する。
【００１４】
図１（ｂ）及び図３に示す第２実施形態や、図１（ｃ）及び図４に示す第３実施形態や、図１（ｄ）及び図５に示す第４実施形態においては、前記植付け容器１の材質や形態を変更している。第２実施形態及び第３実施形態では石を成形した植付け容器１を採用している。特に第３実施形態の石は多孔質の軽石である。第４実施形態では苔を成形したこけ玉を植付け容器１として採用している。
【図面の簡単な説明】
【００１５】
【図１】（ａ）は第１実施形態にかかる植物植付け具を示す正面図であり、（ｂ）は第２実施形態にかかる植物植付け具を示す正面図であり、（ｃ）は第３実施形態にかかる植物植付け具を示す正面図であり、（ｄ）は第４実施形態にかかる植物植付け具を示す正面図である。
【図２】第１実施形態にかかる植物植付け具を示す断面図である。
【図３】第２実施形態にかかる植物植付け具を示す断面図である。
【図４】第３実施形態にかかる植物植付け具を示す断面図である。
【図５】第４実施形態にかかる植物植付け具を示す断面図である。
【符号の説明】
【００１６】
１…植付け容器、２…植付け室、３…水入れ台、４…吸水体、５…植付け容器の底壁部（底部）、７…給水孔、１３…支持管、１３ａ，１３ｂ…開口。
【図１】
0003109148.tif 000003
【図２】
0003109148.tif 000004
【図３】
0003109148.tif 000005
【図４】
0003109148.tif 000006
【図５】
0003109148.tif 000007